(57)【要約】【課題】照明効果のパターンがあらかじめ定められておらず、かつ効果面の形状が素早く変化するような場合であっても、様々な画像特殊効果に対応する照明効果を実現できる画像特殊効果装置を提供する。【解決手段】入力された画像に関する画像情報には曲面を有する面において任意の視点から見た場合の光源からの光による照明効果が付加され、面に画像情報をマッピングさせて得られる映像信号を出力する画像特殊効果装置１００であって、直交座標データおよび面の形状に基づいて、面の位置における法線ベクトルを生成し、法線ベクトル生成部１１０と、法線ベクトル、光源方向単位ベクトル、視点ベクトルＶ、および任意の値Ａを用いた式であるＡ（２（Ｌ・Ｎ）Ｎ−２Ｌ）・Ｖの計算により、視点方向への光の反射率を生成し、画像および反射率に基づいて、画像情報を作成する。【選択図】図１
2008009633.tif 000002
【特許請求の範囲】
【請求項１】
入力された画像に関する画像情報には曲面を有する面において任意の視点から見た場合の光源からの光による照明効果が付加され、前記面に前記画像情報をマッピングさせて得られる映像信号を出力する画像特殊効果装置であって、
前記面の水平方向座標および垂直方向座標の位置を示す直交座標データおよび前記面の形状に基づいて、前記面の位置における法線方向のベクトルを示す法線ベクトルを生成する法線ベクトル生成部と、
前記法線ベクトル、前記光源の方向の単位ベクトルを示す光源方向単位ベクトル、前記視点の方向のベクトルを示す視点ベクトルＶ、および任意の値Ａを用いた式であるＡ（２（Ｌ・Ｎ）Ｎ−２Ｌ）・Ｖの計算により、前記視点方向への前記光の反射率を生成する照明効果生成部と、
前記画像および前記反射率に基づいて、前記画像情報を作成する画像情報作成部と、
を有する画像特殊効果装置。
【請求項２】
請求項１に記載の画像特殊効果装置であって、
前記任意の値Ａを変更することができる任意値変更部を有する画像特殊効果装置。
【請求項３】
請求項１または２のいずれか１項に記載の画像特殊効果装置であって、
前記照明効果生成部は、
生成される前記反射率の候補を複数有し、前記複数の候補の中から１つの反射率を生成する画像特殊効果装置。
【請求項４】
入力された画像に関する画像情報には曲面を有する面において任意の視点から見た場合の光源からの光による照明効果が付加され、前記面に前記画像情報をマッピングさせて得られる映像信号が出力される画像特殊効果方法であって、
前記面の水平方向座標および垂直方向座標の位置を示す直交座標データおよび前記面の形状に基づいて、前記面の位置における法線方向のベクトルを示す法線ベクトルが生成されるステップと、
前記法線ベクトル、前記光源の方向の単位ベクトルを示す光源方向単位ベクトル、前記視点の方向のベクトルを示す視点ベクトルＶ、および任意の値Ａを用いた式であるＡ（２（Ｌ・Ｎ）Ｎ−２Ｌ）・Ｖの計算により、前記視点方向への前記光の反射率が生成されるステップと、
前記画像および前記反射率に基づいて、前記画像情報が作成されるステップと、
を有する画像特殊効果方法。
【発明の詳細な説明】
【技術分野】
【０００１】
本発明は、映像製作等に用いる画像特殊効果装置および画像特殊効果方法に関し、特に、光源と視点の関係を考慮した照明処理を行い、写実的な特殊効果をリアルタイムに表現し、多種類の特殊効果画像に対応できる装置の単純化かつ小型化を図るものである。
【背景技術】
【０００２】
従来から、特殊効果画像の種類に応じて照明効果を与えるために、あらかじめ定められた複数の効果面の形状に対応する複数の照明パターンが記憶されたテーブル値を混合することにより、さまざまな形状の効果面に対する照明効果を得られる映像効果装置が記載されている。（例えば、特許文献１参照）
【特許文献１】特開平５−１４３７４６号公報
【発明の開示】
【発明が解決しようとする課題】
【０００３】
しかし、上述した従来の特許文献１記載の特殊効果装置では、さまざまな照明パターンをあらかじめ定めることと、効果面に応じた最適な照明パターンの組み合わせを決めなくてはならないという事情がある。さらに、新規に特殊効果機能を追加した場合、実装済みの照明パターンでは最適な組み合わせが見つからない事情もある。
【０００４】
また、一般的に、効果面の形状の影響を受けないための鏡面反射の照明効果を実現する場合の計算方法は、光源ベクトル(Ｌ)、効果面の法線ベクトル(Ｎ)で構成される反射ベクトルをR、視点ベクトルをVとした上で、反射方向ベクトルＲは、例えば数式１によって算出するものがある。
【０００５】
反射方向ベクトルＲ＝(２（Ｌ・Ｎ）Ｎ−Ｌ) ・・・・数式1
【０００６】
数式１に視点ベクトルＶの内積を計算することで、視点方向の反射率を計算することができる。この数式１の計算回路は、乗算器が豊富に搭載されているＦＰＧＡデバイスへの実装は容易であるが、平面と曲面を組み合わせた照明効果は、連続的で滑らかであるが、例えば平面と曲面との組み合わせによって複数ページを有する本のような効果面を想定する場合、ページめくりの操作が速いと、照明効果の視認性に欠け、メリハリのない特殊効果画像になってしまうという事情がある。
【０００７】
本発明は、上記事情を鑑みてなされたものであって、照明効果のパターンがあらかじめ定められておらず、かつ効果面の形状が素早く変化するような場合であっても、様々な画像特殊効果に対応する照明効果を実現できる画像特殊効果装置および画像特殊効果方法を提供することを目的としている。
【課題を解決するための手段】
【０００８】
上記目的を達成するために、本発明の第１の画像特殊効果装置は、入力された画像に関する画像情報には曲面を有する面において任意の視点から見た場合の光源からの光による照明効果が付加され、前記面に前記画像情報をマッピングさせて得られる映像信号を出力する画像特殊効果装置であって、前記面の水平方向座標および垂直方向座標の位置を示す直交座標データおよび前記面の形状に基づいて、前記面の位置における法線方向のベクトルを示す法線ベクトルを生成する法線ベクトル生成部と、前記法線ベクトル、前記光源の方向の単位ベクトルを示す光源方向単位ベクトル、前記視点の方向のベクトルを示す視点ベクトルＶ、および任意の値Ａを用いた式であるＡ（２（Ｌ・Ｎ）Ｎ−２Ｌ）・Ｖの計算により、前記視点方向への前記光の反射率を生成する照明効果生成部と、前記画像および前記反射率に基づいて、前記画像情報を作成する画像情報作成部とを有する構成としている。
【０００９】
この構成により、照明効果のパターンがあらかじめ定められておらず、かつ効果面の形状が素早く変化するような場合であっても、様々な画像特殊効果に対応する照明効果を実現できる。
【００１０】
また、本発明の第２の画像特殊効果装置は、前記任意の値Ａを変更することができる任意値変更部を有する構成としている。
【００１１】
この構成により、ページめくりの特定の部分に対するライティング、シェーディング処理に応じた照明効果を調整することが可能になり、大規模な新規計算回路を追加しなくても、視認性良好な照明効果を実現することができ、画像特殊効果装置を小型化することができる。
【００１２】
また、本発明の第３の画像特殊効果装置は、前記照明効果生成部が、生成される前記反射率の候補を複数有し、前記複数の候補の中から１つの反射率を生成する構成としている。
【００１３】
この構成により、複数種類の照明効果データ算出式を切り替えることが可能になり、ページめくり効果以外にも、ボール効果など他の画像特殊効果での照明効果を汎用的に計算でき、画像特殊効果装置を小型化することができる。
【００１４】
また、本発明の第１の画像特殊効果方法は、入力された画像に関する画像情報には曲面を有する面において任意の視点から見た場合の光源からの光による照明効果が付加され、前記面に前記画像情報をマッピングさせて得られる映像信号が出力される画像特殊効果方法であって、前記面の水平方向座標および垂直方向座標の位置を示す直交座標データおよび前記面の形状に基づいて、前記面の位置における法線方向のベクトルを示す法線ベクトルが生成されるステップと、前記法線ベクトル、前記光源の方向の単位ベクトルを示す光源方向単位ベクトル、前記視点の方向のベクトルを示す視点ベクトルＶ、および任意の値Ａを用いた式であるＡ（２（Ｌ・Ｎ）Ｎ−２Ｌ）・Ｖの計算により、前記視点方向への前記光の反射率が生成されるステップと、前記画像および前記反射率に基づいて、前記画像情報が作成されるステップとを有する方法としている。
【００１５】
この方法により、照明効果のパターンがあらかじめ定められておらず、かつ効果面の形状が素早く変化するような場合であっても、様々な画像特殊効果に対応する照明効果を実現できる。
【発明の効果】
【００１６】
本発明は、照明効果のパターンがあらかじめ定められておらず、かつ効果面の形状が素早く変化するような場合であっても、様々な画像特殊効果に対応する照明効果を実現できる画像特殊効果装置および画像特殊効果方法を提供することを目的としている。
【００１７】
また、ページをめくるようなページめくりの画像特殊効果へ付加する照明効果において、ページめくり形状に応じて、上面平面及び、下面平面への照明効果をキャンセルでき、曲面にのみ視認性良好な照明効果を付加でき、かつ、装置を小型化できる。
【００１８】
また、ページめくり面によって、照明効果データに任意定数Aを変化させることにより、シェーディング、ライティング効果それぞれに最適な照明効果をえることができる。
【００１９】
また、照明効果データを算出するための式、例えば「Ａ（２（Ｌ・Ｎ）Ｎ−２Ｌ）・Ｖ」を「２（Ｌ・Ｎ）Ｎ−Ｌ）・Ｖ」に切り替えることで、通常の照明効果データを算出でき、様々な画像特殊効果の照明効果に広く対応できる。
【発明を実施するための最良の形態】
【００２０】
以下、図面を用いて本発明の実施形態における画像特殊効果装置について説明する。
（第１の実施形態）
まず、本発明の第１の実施形態における画像特殊効果装置について説明する。
【００２１】
図１は、本発明の第１の実施形態における画像特殊効果装置１００の構成を示す図である。画像特殊効果装置１００は、法線ベクトル生成部１１０、照明効果データ算出部１１１を有して構成されている。
【００２２】
法線ベクトル生成部１１０については、図２を用いて説明する。入力された画像の水平方向座標および垂直方向座標の位置を示す直交座標１、ページめくりのめくる部分の効果の大きさを決める効果半径ｒ２を入力とし、シーケンシャルな表示画面水平方向（ｘ軸）１２、または、表示画面垂直方向(ｙ軸)１３から、水平方向座標ｘ１２の位置に応じたページめくり面それぞれの法線ベクトルN３を求める。
【００２３】
その法線ベクトルN３は、図３に示すように、上面平面部２０の法線ベクトルNは、上面平面の法線ベクトルN30=(0,0,1)、上面曲面部２１（図２中ではドット表示部分）の法線ベクトルN3は、上面曲面の法線ベクトルN31、下面平面部２２の法線ベクトルN3は、下面平面の法線ベクトルN32＝(0,0,1)、下面曲面部２３（図２中では斜線表示部分）の法線ベクトルN3は、下面曲面の法線ベクトルN33というように生成される。
【００２４】
尚、図１において、Ｘｅｆｆｅｃｔ１０は、直交座標１のシーケンシャルな表示画面水平方向Ｘ１２のデータから、法線ベクトル生成部１１０で演算される、ページめくり効果、ボール効果などの各種ビデオエフェクトを生成するための表示画面水平方向データである。
【００２５】
Ｙｅｆｆｅｃｔ１１は、直交座標１のシーケンシャルな表示画面垂直方向Ｙ１３のデータから、法線ベクトル生成部１１０で演算される、ページめくり効果、ボール効果などの各種ビデオエフェクトを生成するための表示画面垂直方向データである。
【００２６】
このように、画像特殊効果は、シーケンシャルなライトアドレスで、フレームメモリに順次書き込んだ入力画像データを、法線ベクトル１１０で演算したＸｅｆｆｅｃｔ１０、Ｙｅｆｆｅｃｔ１１を基にしたリードアドレスでフレームメモリから読み出されることにより、ページめくり効果、ボール効果などの各種ビデオエフェクトを入力画像に付加することが可能になる。
【００２７】
照明効果データ算出部１１１は、法線ベクトル生成部１１０で生成された法線ベクトルN３、マイコンなどから入力される光源方向単位ベクトルL４、視点ベクトルV5、および任意定数A６を元に、反射方向ベクトルR７を生成する。
【００２８】
反射方向ベクトルR7を生成した後、この照明効果データ算出部１１１において使用する照明効果データ算出式は、下記数式２で照明効果データＩ９を算出する。下記に、照明効果データＩ９を算出するための処理内容について述べる。ここでは、視点ベクトルＶ５をＶ，光源方向単位ベクトルＬ４をＬ，反射方向ベクトルＲ７をＲ、法線ベクトルＮ３をＮ、任意定数Ａ６をＡとしている。
【００２９】
照明効果データＩ９ ＝ (Ｒ・Ｖ)×Ａ＝（（２（Ｎ・Ｌ）Ｎ−２Ｌ）・Ｖ）Ａ・・・・ 数式２
【００３０】
数式１を用いた場合には、平面の法線ベクトルが（０、０、１）であっても、照明効果
データＩが残るため、図２における正面平面部２０、上面平面部２１に照明効果が付加されてしまい、メリハリの出ない照明効果になってしまっていた。
【００３１】
そこで、平面時の照明効果データＩをゼロにするためには、数式１のＬの直前に係数「２」を挿入することで実現可能となる数式２を導いた。これにより、平面部の照明効果をキャンセルする。尚、曲面部の照明効果データＩが弱まるため、任意定位Ａを加えることにより、照明効果データＩの増幅率を調整できるようにしている。
【００３２】
数式２に関して、まず、視点ベクトルＶ５は、図３の人間の目３５に対する視点ベクトルＶ５を(0,0,1)、法線ベクトルN3を(Nx,Ny,Nz)、光源方向単位ベクトルL4を(Lx,Ly,Lz)、任意定数A６を１として、照明効果データI９を求めると、次の通りになる。尚、Nz、Lzなどのｚ軸方向成分は視点方向（ｚ軸）１４の成分である。
【００３３】
まず、数式２の”２（Ｎ・Ｌ）”を展開すると、”２NxLx+2NyLy+2NzLz“となり、これを”Ｑ”とする。このとき、数式２にＱを代入すると、反射ベクトルR=(ＱＮ−２Ｌ)となる。反射方向ベクトルRと視点ベクトルV５(0,0,1)の内積を照明効果データI9として求めると、照明効果データI9は次に示す数式３になる。
【００３４】
照明効果データI9=R・V＝R・(0,0,1)=  Q・Nz−２Lz ・・・・数式３
【００３５】
以上のように、ページめくり効果の形状ごとの照明効果データI9について、図４、図５を用いて説明する。
【００３６】
上面平面部２０及び、下面平面部２２の場合、上記の上面平面の法線ベクトルＮ３０、下面平面の法線ベクトルＮ３２により、平面を示す法線ベクトルN3は(0,0,1)となり、数式３のQは、2・Lzとなり、Nzは１より、照明効果データI９が”０” となる。図４の上面平面部の照明効果データI４０、図５の下面平面部の照明効果データI５０に示すように、照明効果データI９は０となるため、照明効果がキャンセルされることになる。
【００３７】
上面曲面部２１の場合、図３の法線ベクトルＮ３１により、照明効果データI９は、図４の上面曲面部の照明効果データI４１に示すような値になる。この照明効果データI９は、０よりも大きいため、上面局面部２１にライティングという照明効果が付加されるようになる。その上面局部の照明効果データI４１に、任意定数A６で乗算することにより、図４の照明効果増幅データIA４２に示すような照明効果データI９が生成され、ライティングという照明効果をさらに深めることができる。
【００３８】
また、下面曲面部２３の場合、図３の法線ベクトルＮ３３により、照明効果データI９は、図５に示す下面曲面部の照明効果データI５１が得られる。この照明効果データI９は、０よりも小さいため、下面曲面部２３にシェーティングという照明効果が付加されるようになる。さらに任意定数A６によって、シェーティングという照明効果をさらに深めることができる。
【００３９】
また、ページめくりの上面平面部２０、上面曲面部２１、下面平面部２２、下面曲面部２３それぞれに対する照明効果を付加したくない場合は、任意定数A６を”０（ゼロ）”にすればよい。
【００４０】
この結果、図２のページめくりの形状に応じて、上面平面部２０及び、下面平面部２２には照明効果を付加せず、上面曲面部２１にはライティングという照明効果を付加し、下面曲面部２３にはシェーティングという照明効果が付加することができるようになる。
【００４１】
このように、この画像特殊効果装置１００では、ページめくり効果の平面に対する照明効果をキャンセルし、曲面にのみ照明効果を付加できるように、照明効果データ算出式の1部を見直すだけで、大規模な新規計算回路を追加しなくても、視認性良好な照明効果を実現することができ、装置を小型化することができる。
【００４２】
なお、本実施形態では、右から左にページをめくる効果を題材に説明したが、いずれの方向へのページめくり効果でもよく、ページめくり効果以外の、平面と曲面を組み合わせた特殊効果でもよい。
【００４３】
また、本実施形態では、視点ベクトルV5を(0,0,1)として説明したが、それ以外の方向でもよい。  
【００４４】
このような本発明の第１の実施形態における画像特殊効果装置１００によれば、入力された画像に関する画像情報には曲面を有する面において任意の視点から見た場合の光源からの光による照明効果が付加され、面に画像情報をマッピングさせて得られる映像信号を出力する画像特殊効果装置１００であって、面の水平方向座標および垂直方向座標の位置を示す直交座標データおよび面の形状に基づいて、面の位置における法線方向のベクトルを示す法線ベクトルを生成する法線ベクトル生成部１１０と、法線ベクトル、光源の方向の単位ベクトルを示す光源方向単位ベクトル、視点の方向のベクトルを示す視点ベクトルＶ、および任意の値Ａを用いた式であるＡ（２（Ｌ・Ｎ）Ｎ−２Ｌ）・Ｖの計算により、視点方向への光の反射率を生成する照明効果データ算出部１１１と、画像および反射率に基づいて、画像情報を作成する画像情報作成部とを有する構成とすることで、照明効果のパターンがあらかじめ定められておらず、かつ効果面の形状が素早く変化するような場合であっても、様々な画像特殊効果に対応する照明効果を実現できる。また、例えばページをめくるようなページめくりの画像特殊効果へ付加する照明効果において、ページめくり形状に応じて、上面平面及び、下面平面への照明効果をキャンセルでき、曲面にのみ視認性良好な照明効果を付加でき、かつ、装置を小型化できる。
【００４５】
（第２の実施形態）
次に、本発明の第２の実施形態における画像特殊効果装置について説明する。
【００４６】
図６は、本発明の第2の実施形態における画像特殊効果装置６００の構成を示す図である。画像特殊効果装置６００は、法線ベクトル生成部１１０、照明効果データ算出部１１１および任意定数切換制御部６０１を有する。任意定数切替制御部６０１は、直交座標１による図２の水平方向座標ｘ１２の位置に応じたページめくり面の形状によって、任意定数A６の値を切り替えて、照明効果データ算出部１１１に出力する。尚、法線ベクトル生成部１１０、照明効果データ算出部１１１に関しては、第１の実施形態において説明した構成および機能と同様であるので、同一符号を付し説明を省略する。
【００４７】
例えば、直交座標１が図２の上面曲面部２１に相当する場合、任意定数切替制御部６０１が任意定数Ａ６の値を照明効果データI９が数倍されるような係数に設定すれば、照明効果データ算出部１１１はライティングという照明効果を任意に調整して照明効果データI９を生成することができる。
【００４８】
それとは逆に、直交座標１が図２の下面曲面部２３に相当する場合、任意定数切替制御部６０１が任意定数Ａ６の値を照明効果データＩ９が０未満となるような係数を設定すれば、照明効果データ算出部１１１はシェーディングという照明効果を任意に調整して証明効果データI９を生成することができる。
【００４９】
このような本発明の第２の実施形態における画像特殊効果装置６００によれば、任意定数Ａを変更することができる任意定数切替制御部６０１を有する構成とすることで、ページめくりの特定の部分に対するライティング、シェーディング処理に応じた照明効果を調整することが可能になり、大規模な新規計算回路を追加しなくても、視認性良好な照明効果を実現することができ、画像特殊効果装置を小型化することができる。
【００５０】
（第３の実施形態）
次に、本発明の第３の実施形態における画像特殊効果装置について説明する。
【００５１】
本発明の第３の実施形態における画像特殊効果装置７００においては、装置全体の構成ブロック図の図示はしていないが、照明効果データ算出部１１１以外の構成は本発明の第２の実施形態における画像特殊効果装置１００または本発明の第１の実施形態における６００と同様の構成である。本実施形態においては、画像特殊効果装置７００は照明効果データ算出部１１１に代わり照明効果データ算出部１１１Ｂを有する。照明効果データ算出部１１１Ｂは、複数の照明効果データＩ演算式の中から演算を行う式を選択するためのモード選択信号を図示しない制御部から受信し、照明効果データ演算式Ｉを１つ選択する。図７は、本発明の第３の実施形態における特殊効果装置の照明効果データ算出式１１１Ｂの構成を示す図である。
【００５２】
照明効果データ算出部１１１Bは、第１乗算器７０１、第１の１ｂｉｔ左シフト器７０２、第２の１ｂｉｔ左シフト器７０３、セレクタ７０４、第２乗算器７０５、減算器７０６、第３乗算器７０７、第４乗算器７０８を有する。
【００５３】
第１乗算器７０１は、光源方向単位ベクトルＬ４および法線ベクトルＮ３が入力し、演算結果を第１の１ｂｉｔ左シフト器７０２へ出力する。第１の１ｂｉｔ左シフト器７０２は、第１乗算器７０１の演算結果を入力し、演算結果を第２乗算器７０５へ出力する。第２の１ｂｉｔ左シフト器７０３は、光源方向単位ベクトルＬ４を入力し、演算結果をセレクタ７０４へ出力する。
【００５４】
セレクタ７０４は、モード選択信号８、光源方向単位ベクトルＬ４、および第２の１ｂｉｔ左シフト器７０３の演算結果を入力し、モード選択信号８に基づいて結果を減算器７０６へ出力する。
【００５５】
第２乗算器７０５は、第１の１ｂｉｔ左シフト器７０２の演算結果を入力し、演算結果を減算器７０６へ出力する。減算器７０６は、セレクタ７０４の演算結果および第２乗算器７０５の演算結果を入力し、第３乗算器７０７へ出力する。第３乗算器７０７は、減算器７０６の演算結果および視点ベクトルＶ５を入力し、演算結果を第４乗算器７０８へ出力する。第４乗算器７０８は、第３乗算器７０７の演算結果および任意定数Ａ６を入力し、照明効果データＩ９を出力する。
【００５６】
図７においては、光源方向単位ベクトルＬ４が第２の１ｂｉｔ左シフト器７０３を介すか否かによって２通りの照明効果データＩ演算式が考えられ、介す場合には従来の数式１に示すものと任意定数Ａ６＝１の場合に同一であり、介さない場合には本発明の第１の実施形態において説明した数式２に示すものと同一である。
【００５７】
つまり、従来の数式１に示す照明効果データI算出式を実現する構成に、第２の１ｂｉｔ左シフト器７０３とセレクタ７０４とを追加する形になり、数式１で示した従来の照明効果データI算出式と、数式２で示した第１の実施形態において記載した画像特殊効果装置１００の照明効果データI算出式とを、モード選択信号８によってセレクタ７０４で切替られるようになっている。
【００５８】
また、本実施形態においては図７を用いて２つの照明効果データＩ演算式を切り替える構成を紹介しているが、演算式は２つに限られることなく、２つ以上の演算式を実現可能な構成を有するものであってもよい。
【００５９】
このような本発明の第３の実施形態における画像特殊効果装置７００によれば、照明効果データ算出部１１１Ｂが、生成される反射率の候補を複数有し、複数の候補の中から１つの反射率を生成する構成とすることで、大規模な新規計算回路を追加しなくても、第２の１ｂｉｔ左シフト器７０３とセレクタ７０４という単なる組み合わせ回路を追加するだけで、複数種類の照明効果データＩ算出式を切り替えることが可能になり、ページめくり効果以外にも、ボール効果など他の画像特殊効果での照明効果を汎用的に計算でき、画像特殊効果装置を小型化することができる。
【産業上の利用可能性】
【００６０】
本発明は、小型化した構成により様々な画像特殊効果の照明効果をリアルタイムに処理できる画像特殊効果装置等として、例えば映像・画像の制作・編集等が行われる各分野において広く有用である。
【図面の簡単な説明】
【００６１】
【図１】本発明の第１の実施形態における画像特殊効果装置の構成を示す機能ブロック図
【図２】本発明の第１の実施形態における画像特殊効果装置のページめくり面の名称の解説図
【図３】本発明の第１の実施形態における画像特殊効果装置の法線ベクトル生成部における法線ベクトル詳細説明図
【図４】本発明の第１の実施形態における画像特殊効果装置の照明効果データ算出式による照明効果データの特性を示す図
【図５】本発明の第１の実施形態における画像特殊効果装置の照明効果データ算出式による照明効果データの特性を示す図
【図６】本発明の第２の実施形態における画像特殊効果装置の構成を示す機能ブロック図
【図７】本発明の第３の実施形態における画像特殊効果装置の照明効果データ算出部の構成を示す機能ブロック図
【符号の説明】
【００６２】
１００  画像特殊効果装置
１  直交座標
３  法線ベクトルN
４  光源方向単位ベクトルL
５  視点ベクトルV
６  任意定数A
８  モード選択信号
９  照明効果データI
１０  Xeffect
１１  Yeffect
１２  表示画面水平方向(ｘ軸)
１３  表示画面垂直方向(ｙ軸)
１４  視点方向(ｚ軸)
２０  上面平面部
２１  上面曲面部
２２  下面平面部
２３  下面曲面部
３０  上面平面の法線ベクトルN
３１  上面曲面の法線ベクトルN
３２  下面平面の法線ベクトルN
３３  下面曲面の法線ベクトルN
４０  上面平面部の照明効果データI
４１  上面曲面部の照明効果データI
４２  照明効果増幅データIA
５０  下面平面部の照明効果データI
５１  下面曲面部の照明効果データI
１１０  法線ベクトル生成部
１１１  照明効果データ算出部
６００  任意定数A切替制御部
７０１  第１乗算器
７０２  第１の２bit左シフト
７０３  第２の２bit左シフト
７０４  セレクタ
７０５  第２乗算器
７０６  減算器
７０７  第３乗算器
７０８  第４乗算器
【図１】
2008009633.tif 000003
【図２】
2008009633.tif 000004
【図３】
2008009633.tif 000005
【図４】
2008009633.tif 000006
【図５】
2008009633.tif 000007
【図６】
2008009633.tif 000008
【図７】
2008009633.tif 000009